(57)【要約】ユーザに装着された装着装置の異常な取り外しが検知されると、検知結果を他の装置に送信する情報処理装置である。【選択図】図２
2019220742.tif 000002
【特許請求の範囲】
【請求項１】
ユーザに装着された装着装置の異常な取り外しが検知されると、検知結果を他の装置に送信する
情報処理装置。
【請求項２】
前記ユーザが前記装着装置を装着する際に第１の認証処理を行う
請求項１に記載の情報処理装置。
【請求項３】
前記ユーザが前記装着装置を取り外す際に第２の認証処理を行う
請求項１に記載の情報処理装置。
【請求項４】
前記装着装置が備えるセンサにより取得したセンサ情報に基づき前記異常な取り外しを検知する
請求項１に記載の情報処理装置。
【請求項５】
前記第２の認証処理が成功せずに前記装着装置が外された場合に前記異常な取り外しとして検知する
請求項３に記載の情報処理装置。
【請求項６】
前記第２の認証処理は、生体認証により行う
請求項３に記載の情報処理装置。
【請求項７】
前記第２の認証処理は、前記ユーザの動きの認証により行う
請求項３に記載の情報処理装置。
【請求項８】
前記異常な取り外しが検知された場合、前記装着装置における警告実行処理を行う
請求項１に記載の情報処理装置。
【請求項９】
前記装着装置を装着した前記ユーザが所定の状態である場合に、前記第２の認証処理をスキップする
請求項３に記載の情報処理装置。
【請求項１０】
前記装着装置の位置情報に基づいて前記ユーザが所定の状態にあることを判断する
請求項９に記載の情報処理装置。
【請求項１１】
前記ユーザの状態の習慣性に基づいて前記ユーザが所定の状態にあることを判断する
請求項９に記載の情報処理装置。
【請求項１２】
ユーザに装着された装着装置の異常な取り外しが検知されると、検知結果を他の装置に送信する
情報処理方法。
【請求項１３】
ユーザに装着された装着装置の異常な取り外しが検知されると、検知結果を他の装置に送信する
情報処理方法をコンピュータに実行させる情報処理プログラム。
【請求項１４】
ユーザに装着された装着装置の異常な取り外しを検知した情報処理装置から前記装着装置に関する情報を受信する
端末装置。
【請求項１５】
前記装着装置に関する情報は、前記装着装置の位置情報である
請求項１４に記載の端末装置。
【請求項１６】
前記装着装置に関する情報は、前記装着装置の周囲の音声である
請求項１４に記載の端末装置。
【請求項１７】
前記装着装置に関する情報は、前記装着装置の周囲の映像および／または画像である
請求項１４に記載の端末装置。
【請求項１８】
前記情報処理装置から、前記ユーザに装着された装着装置の異常な取り外しを示す検知結果を受信すると、前記装着装置に関する情報の送信を前記情報処理装置に要求する
請求項１４に記載の端末装置。
【請求項１９】
ユーザに装着された装着装置の異常な取り外しを検知した情報処理装置から前記装着装置に関する情報を受信する
端末装置の制御方法。
【請求項２０】
ユーザに装着された装着装置の異常な取り外しを検知した情報処理装置から前記装着装置に関する情報を受信する
制御方法をコンピュータに実行させる制御プログラム。
【発明の詳細な説明】
【技術分野】
【０００１】
本技術は、情報処理装置、情報処理方法、情報処理プログラム、端末装置、端末装置の制御方法および制御プログラムに関する。
【背景技術】
【０００２】
近年、モバイル端末の普及やネットワーク技術の高度化に伴い、ネットワークを介したコミュニケーションを行う機会が増加している。そこで、ネットワークを利用したより多様なコミュニケーションを実現するための技術が開発されている。【０００３】
その１つとして、より気軽で親密なコミュニケーションを実現することを目的として提案されたウェアラブルデバイスの１つとしてのいわゆるリストバンド型の装置がある（特許文献１）。
【先行技術文献】
【特許文献】
【０００４】
【特許文献１】ＷＯ２０１５／０２９５７３号公報
【発明の概要】
【発明が解決しようとする課題】
【０００５】
このようなウェアラブルデバイス（装着装置）は、子供を犯罪から守るためのいわゆる「見守り」の目的のために使用される機会も増えてきており、よりセキュリティ機能の強化が求められている。【０００６】
本技術はこのような点に鑑みなされたものであり、装着装置を装着するユーザの安全を確認できるとともに、ユーザが危険な状況である場合に他の装置に通知することができる情報処理装置、情報処理方法、情報処理プログラム、端末装置、端末装置の制御方法および制御プログラムを提供することを目的とする。
【課題を解決するための手段】
【０００７】
上述した課題を解決するために、第１の技術は、ユーザに装着された装着装置の異常な取り外しを検知し、検知結果を他の装置に送信する情報処理装置である。【０００８】
また、第２の技術は、ユーザに装着された装着装置の異常な取り外しを検知し、検知結果を他の装置に送信する情報処理方法である。【０００９】
また、第３の技術は、ユーザに装着された装着装置の異常な取り外しを検知し、検知結果を他の装置に送信する情報処理方法をコンピュータに実行させる情報処理プログラムである。【００１０】
また、第４の技術は、ユーザに装着された装着装置の異常な取り外しを検知した情報処理装置から前記装着装置に関する情報を受信する端末装置である。【００１１】
また、第５の技術は、ユーザに装着された装着装置の異常な取り外しを検知した情報処理装置から前記装着装置に関する情報を受信する端末装置の制御方法である。【００１２】
さらに、第６の技術は、ユーザに装着された装着装置の異常な取り外しを検知した情報処理装置から前記装着装置に関する情報を受信する制御方法をコンピュータに実行させる制御プログラムである。
【発明の効果】
【００１３】
本技術によれば、装着装置を装着するユーザの安全を確認できるとともに、ユーザが危険な状況である場合に他の装置に通知することができる。なお、ここに記載された効果は必ずしも限定されるものではなく、明細書中に記載されたいずれかの効果であってもよい。
【図面の簡単な説明】
【００１４】
【図１】本技術に係る情報処理装置を搭載するリストバンドの構成を示すブロック図である。
【図２】リストバンドの外観斜視図である。
【図３】情報処理装置の構成を示すブロック図である。
【図４】リストバンドの装着における処理を示すフローチャートである。
【図５】装着ロック状態を表す表示例を示す図である。
【図６】装着判定処理を示すフローチャートである。
【図７】リストバンドの取り外しにおける処理を示すフローチャートである。
【図８】異常取り外し検知方法を示す図である。
【図９】端末装置の構成を示すブロック図である。
【図１０】装着装置の異常取り外しを検知した場合の処理の第１の例を示す図である。
【図１１】装着装置の異常取り外しを検知した場合の処理の第２の例を示す図である。
【図１２】装着装置の異常取り外しを検知した場合の処理の第２の例を示す図である。
【図１３】装着装置の異常取り外しを検知した場合の処理の第２の例を示す図である。
【図１４】装着装置の異常取り外しを検知した場合の処理の第３の例を示す図である。
【図１５】装着装置の異常取り外しを検知した場合の処理の第４の例を示す図である。
【図１６】装着装置の異常取り外しを検知した場合の処理の第４の例を示す図である。
【図１７】装着装置の異常取り外しを検知した場合の処理の第５の例を示す図である。
【図１８】装着装置の異常取り外しを検知した場合の処理の第６の例を示す図である。
【図１９】装着装置の変形例を示す図である。
【図２０】サーバを用いた場合の処理を示すシーケン図である。
【図２１】サーバを用いた場合の処理を示すシーケン図である。
【図２２】サーバを用いた場合の処理を示すシーケン図である。
【図２３】サーバを用いた場合の処理を示すシーケン図である。
【発明を実施するための形態】
【００１５】
以下、本技術の実施の形態について図面を参照しながら説明する。なお、説明は以下の順序で行う。
＜１．実施の形態＞
［１−１．装着装置の構成］
［１−２．情報処理装置の構成］
［１−３．装着における処理］
［１−４．取り外しにおける処理］
［１−５．認証スキップ］
［１−６．異常取り外しの判定］
［１−７．異常取り外しがあった場合の処理］
＜２．変形例＞
【００１６】
＜１．実施の形態＞
［１−１．装着装置の構成］
まず、本技術に係る情報処理装置２００が搭載される装着装置としてのリストバンド１００（ウェアラブルデバイス）のハードウェア構成について説明する。リストバンド１００は、ＭＰＵ１０１（Micro Processing Unit）、ＲＯＭ１０２（Read Only Memory）、ＲＡＭ１０３（Random Access Memory）、記憶部１０４、通信部１０５、入出力インターフェース１０６、入力部１０７、表示部１０８、動き／姿勢センサ１０９、地磁気センサ１１０、測位センサ１１１、装着／取り外しセンサ１１２、生体センサ１１３、認証用センサ１１４、装着ロック部１１５、カメラ１１６、マイクロホン１１７、スピーカ１１８を備えて構成されている。
【００１７】
図２の外観斜視図に示すように、リストバンド１００は輪状のバンド部１２０を備え、入力部１０７、表示部１０８、認証用センサ１１４、装着ロック部１１５、カメラ１１６、マイクロホン１１７、スピーカ１１８はバンド部１２０の外面において視認可能に設けられている。また、装着／取り外しセンサ１１２、生体センサ１１３、装着ロック部１１５はバンド部１２０の内面において視認可能に設けられている。ユーザはバンド部１２０を腕にはめることによりリストバンド１００を装着する。なお、以下の説明において所有者としてリストバンド１００に登録され、リストバンド１００を装着して使用する者をユーザと称する。
【００１８】
ＭＰＵ１０１は、ＲＯＭ１０２に記憶されたプログラムに従い様々な処理を実行してコマンドの発行を行うことによって、リストバンド１００の制御および各部の制御を行い、図３に示す各部の処理を行うものである。ＲＯＭ１０２には、ＭＰＵ１０１により読み込まれ動作されるプログラムなどが記憶されている。ＲＡＭ１０３は、ＭＰＵ１０１のワークメモリとして用いられる。
【００１９】
記憶部１０４は、例えば、フラッシュメモリなどの記憶媒体である。記憶部１０４にはリストバンド１００の使用に必要な認証情報、生体情報などが保存される。
【００２０】
通信部１０５は、インターネット、他の装置、サーバなどとデータの送受信を行なうための通信モジュールである。通信は、無線ＬＡＮ（Local Area Network）やＷＡＮ（Wide Area Network）、ＷｉＦｉ（Wireless Fidelity）、４Ｇ（第４世代移動通信システム）、ブロードバンドなどインターネットおよび他の装置などと接続できる方法であればどのようなものを用いてもよい。また、他の装置との接続は、Wi-Fiなどの無線ＬＡＮ、Bluetooth（登録商標）、ZigBeeなどの無線通信などどの方法でもよい。
【００２１】
入出力インターフェース１０６は入力部１０７、表示部１０８とバス間のデータ送受信を行うものである。
【００２２】
入力部１０７は、リストバンド１００に対してユーザが各種指示を入力するためのものである。入力部１０７に対してユーザから入力がなされると、その入力に応じた制御信号が生成されて入出力インターフェース１０６を介してＭＰＵ１０１に供給される。そして、ＭＰＵ１０１はその制御信号に対応した各種処理を行う。入力部１０７は物理ボタンの他、タッチパネル、表示部１０８と一体に構成されたタッチスクリーンなどでもよい。
【００２３】
表示部１０８は、例えば、ＬＣＤ（Liquid Crystal Display）、ＰＤＰ(Plasma Display Panel)、有機ＥＬ(Electro Luminescence)パネルなどにより構成された表示デバイスである。表示部１０８には、リストバンド１００がユーザに提示する各種情報、リストバンド１００を使用するためのユーザインターフェースなどが表示される。
【００２４】
動き／姿勢センサ１０９は、２軸または３軸方向に対する加速度センサ、角度速度センサ、ジャイロセンサ、慣性センサなどによりリストバンド１００の動き、姿勢を検出するものである。
【００２５】
地磁気センサ１１０は、地球の磁力を検出するセンサであり、方角を検出するものである。
【００２６】
測位センサ１１１は、ＧＰＳ（Global Positioning System）、ＧＮＳＳ(Global Navigation Satellite System)などによりリストバンド１００の現在位置を検出するものである。
【００２７】
装着／取り外しセンサ１１２は、ユーザの腕からリストバンド１００が取り外されたことを検知するための情報を取得するセンサである。取り外されたことを検知ための情報とは例えば、ユーザの体温、脈波などである。体温、脈波などのユーザの生体情報が取得できなくなったら、生体センサ１１３からユーザの腕が離れた、すなわちリストバンド１００がユーザの腕から取り外されたと検知することができる。
【００２８】
また、装着／取り外しセンサ１１２は、リストバンド１００装着時にユーザの腕により押下状態が継続するボタンであってもよい。そのボタンの押下状態が継続している間はリストバンド１００が装着されており、押下状態が解除されたらユーザの腕からリストバンド１００が取り外されたと検知することができる。
【００２９】
さらに、装着／取り外しセンサ１１２は、装着および取外しにおいて動作する箇所に設けられた、磁石などの磁気を発生する磁性体と、その磁性体の磁気を検出する磁気センサであってもよい。磁気センサが磁性体の磁気を検出している間は装着状態である、磁気を検出しなくなったら取り外されたと検知することができる。なお、これらの方法に限られず、装着／取り外しセンサ１１２はリストバンド１００の装着および取り外しを検知するための情報を取得できるものではあればどのようなものでもよい。
【００３０】
生体センサ１１３は、リストバンド１００を装着するユーザの体温、血圧、脈波などの生体情報を取得するセンサである。生体センサ１１３はリストバンド１００の装着状態においてユーザに接触して生体情報を取得することができるように、リストバンド１００の内面側に設けられるのが好ましい。認証用センサ１１４は、生体情報によりユーザ認証を行うためのセンサであり、ユーザ認証に用いることができる指紋、声紋、脈波などの生体情報を取得する。認証用センサ１１４は、取得する生体情報によってリストバンド１００において設ける位置が異なるが、指紋を取得する場合には、ユーザが指を接触させやすいようにリストバンド１００の外面側に設けるのが好ましい。また、声紋を取得する場合、ユーザの声を集音しやすいようにリストバンド１００の外面側に設けるのが好ましい。なお、声紋を取得する場合、マイクロホン１１７が認証用センサ１１４としての役割を果たすようにしてもよい。また、脈波を取得する場合、生体センサ１１３が認証用センサ１１４としての役割を果たすようにしてもよい。
【００３１】
装着ロック部１１５は、バンド部１２０内部に設けられた機械式のロック機構、電子式ロック機構などであり、リストバンド１００をユーザの腕に嵌めた状態でロックするものである。リストバンド１００が装着状態で不用意に外れないようにすることができればどのような機構でもよい。バンド部１２０が装着ロック部１１５によりロック状態になったことはＭＰＵ１０１に通知される。
【００３２】
カメラ１１６は、レンズ、撮像素子、画像処理エンジンなどから構成され、画像および映像を撮影して取得することができるものである。カメラ１１６は半天球カメラ、全天球カメラなどであってもよい。
【００３３】
マイクロホン１１７は、リストバンド１００の周囲の音声を取得するためのものである。スピーカ１１８は音声を出力するものである。
【００３４】
以上のようにしてリストバンド１００が構成されている。
【００３５】
［１−２．情報処理装置の構成］
次に、図３を参照してリストバンド１００に搭載される情報処理装置２００の構成について説明する。情報処理装置２００は、全体制御部２０１、センサ制御部２０２、装着／取り外し検知部２０３、生体認証部２０４、認証情報保持部２０５、取り外しパターン認識部２０６、ユーザ情報認識部２０７、習慣性情報保持部２０８、周辺／対応情報保持部２０９を備えて構成されている。
【００３６】
全体制御部２０１は、情報処理装置２００およびリストバンド１００の全体および各部の制御、各種処理を行うものである。各種センサからのデータ、認証情報などは全体制御部２０１に供給される。
【００３７】
センサ制御部２０２にはリストバンド１００が備える、動き／姿勢センサ１０９、地磁気センサ１１０、測位センサ１１１、装着／取り外しセンサ１１２、生体センサ１１３が接続されている。また、生体認証部２０４にはリストバンド１００が備える認証用センサ１１４が接続されている。また、全体制御部２０１と生体認証部２０４にはリストバンド１００が備える装着ロック部１１５が接続されている。
【００３８】
センサ制御部２０２は、動き／姿勢センサ１０９、地磁気センサ１１０、測位センサ１１１、装着／取り外しセンサ１１２を制御し、センサ情報を全体制御部２０１に供給するものである。
【００３９】
装着／取り外し検知部２０３は、装着／取り外しセンサ１１２からのセンサ情報に基づいてリストバンド１００のユーザの腕への装着およびユーザの腕からの取り外しを検知するものである。
【００４０】
生体認証部２０４は、認証用センサ１１４からのセンサ情報に基づいてリストバンド１００を使用するユーザの認証処理を行うものである。
【００４１】
認証情報保持部２０５は、生体認証に用いるユーザの生体認証情報を保持する記憶媒体である。ユーザの生体認証情報とは、生体認証が指紋認証である場合にはユーザの指紋情報、生体認証が声紋認証である場合にはユーザの声紋情報、生体認証が脈波認証である場合にはユーザの脈波情報である。これら以外にも生体認証に用いる生体情報であればどのような情報を保持していてもよい。ユーザはリストバンド１００を初めて使用するときに、自身の認証情報を認証情報保持部２０５に保存し、ユーザがリストバンド１００の所有者であり、対応付けられたユーザであること登録する。
【００４２】
取り外しパターン認識部２０６は、リストバンド１００の正常な取り外しおよび異常な取り外しを示すデータに基づいて、機械学習によりユーザのリストバンド１００の取り外しのパターンを認識するものである。なお、ユーザ情報認識部２０７は、ユーザのリストバンド１００の取り外しのパターンモデル（辞書）を保持している。
【００４３】
機械学習は、ｋ−ＮＮ（k-nearest neighbor）、ＳＶＭ（support vector machine）、ニューラルネットワーク（ＤＮＮ（Deep Neural Networks）を含む）など、種々の手法を適用可能であり、アルゴリズムは限定されない。また、簡易に実施するためにルールベースの手法で代替することもできる。
【００４４】
ユーザ情報認識部２０７は、動き／姿勢センサ１０９、地磁気センサ１１０、測位センサ１１１、装着／取り外しセンサ１１２、生体センサ１１３からのセンサ情報に基づいて、機械学習によりコンテキスト、すなわち、ユーザの行動や状態を認識するものである。ユーザ情報認識部２０７は例えば、測位センサ１１１からの位置情報に基づいてユーザが頻繁に行く場所、頻繁に滞在する場所、家や学校の場所などを認識することができる。なお、ユーザ情報認識部２０７は、ユーザの行動や状態のパターンモデル（辞書）を保持している。
【００４５】
習慣性情報保持部２０８は、自宅、学校、職場などユーザが日常的に滞在する位置、もしくは移動経路等のユーザの習慣性に基づく情報を保持するものである。
【００４６】
周辺／対応情報保持部２０９は、リストバンド１００の周辺の情報およびリストバンド１００に予め対応付けられた他の装置や機器についての情報などを保持し、必要に応じて全体制御部２０１に供給するものである。
【００４７】
以上のようにして情報処理装置２００が構成されている。情報処理装置２００はプログラムで構成され、そのプログラムは、予めＭＰＵ１０１などのプロセッサ内や信号処理を行うコンピュータにインストールされていてもよいし、ダウンロード、記憶媒体などで配布されて、ユーザが自らリストバンド１００にインストールするようにしてもよい。また、情報処理装置２００は、プログラムによって実現されるのみでなく、その機能を有するハードウェアによる専用の装置、回路などを組み合わせて実現されてもよい。
【００４８】
情報処理装置２００は、サーバにおいて構成され、リストバンド１００からのセンサ情報などをネットワークを介して受信し、サーバにおいて各種処理を行い、リストバンド１００に制御情報を送信してリストバンド１００を制御するようにしてもよい。また、情報処理装置２００の一部の構成をリストバンド１００内に設け、その他の構成をサーバに設けるようにしてもよい。
【００４９】
［１−３．装着における処理］
次に図４のフローチャートを参照してリストバンド１００の装着時における処理について説明する。まず、ユーザがリストバンド１００を装着すると、ステップＳ１１で装着判定処理が行われる。この装着判定処理は人がリストバンド１００を装着したか否かを判定するものであり、その人がリストバンド１００の所有者であるユーザであるかを問わない。詳細については後述する。人がリストバンド１００を装着したと判定すると、処理はステップＳ１２からステップＳ１３に進む（ステップＳ１２のＹｅｓ）。
【００５０】
次にステップＳ１３でユーザ認証処理が行われる。ユーザ認証処理は、認証用センサ１１４のセンサ情報を用いて生体認証部２０４により行われる。例えば認証用センサ１１４で生体情報として指紋を取得する場合、ユーザが指を認証用センサ１１４に接触させることによりユーザ認証処理が行われる。この装着時における認証は特許請求の範囲における第１の認証処理である。
【００５１】
そして、ユーザ認証に成功すると処理はステップＳ１４からステップＳ１５に進む（ステップＳ１４のＹｅｓ）。なお、ユーザ認証に失敗した場合、処理はステップＳ１３に戻り再びユーザ認証処理が行われる。この際、ユーザ認証処理の失敗回数に対して閾値を設定し、失敗回数が閾値を超えた場合には生体認証処理を終了して認証用センサ１１４を非動作状態にして、その旨をユーザに通知するようにしてもよい。
【００５２】
次にステップＳ１５で、装着ロック部１１５によりリストバンド１００が装着状態でロックされる。装着状態がロックされると、装着ロック解除処理を経なければユーザはリストバンド１００を外すことはできない。なお、図５に示すように、装着ロック状態であることを示すアイコン１３０やメッセージなどを表示部１０８に表示するとよい。
【００５３】
次にステップＳ１６で、リストバンド１００が備える各種機能（通信機能、測位機能、マイクロホン機能、カメラ機能など）をオン（アクティブ状態）にする。これにより、ユーザはリストバンド１００の各種機能を使用することができる。
【００５４】
以上のようにしてリストバンド１００の装着時における処理が行われる。
【００５５】
ここで図６のフローチャートを参照して、図４のフローチャートにおけるステップＳ１１の装着判定処理の詳細について説明する。まず、ステップＳ２１で装着／取り外し検知部２０３により一次検知が行われる。この一次検知は、リストバンド１００がユーザに限らず人に装着されたことを検知するものである。
【００５６】
一次検知は種々の方法により行うことができる。第１の方法はメカ機構とセンサの併用である。第１の方式ではリストバンド１００がメカ機構としての留め具部と、電気の導通により接触を検知できる一対のセンサを備えている必要がある。リストバンド１００の装着のために留め具部が嵌め合わされ、センサが電気の導通を検出すると、リストバンド１００がユーザに装着されたと検知することができる。
【００５７】
第２の方法もメカ機構とセンサの併用である。第２の方式ではリストバンド１００がメカ機構としての留め具部と、磁性体と、磁気を検出する磁気センサとを備えている必要がある。リストバンド１００の装着のために留め具部が嵌め合わされ、留め具が所定の位置に収まった際に磁性体が磁気センサに接近して磁気センサが磁気を検出すると、リストバンド１００がユーザに装着されたと検知できる。
【００５８】
第３の方法はセンサにより行うものである。第３の方式ではリストバンド１００の内側に人の接近を検出する近接センサが設けられている必要がある。なお、近接センサによる人の接近を検出する方法は静電容量、赤外光、可視光、超音波、磁気などどのような方法でもよい。ユーザがリストバンド１００を装着すると近接センサがユーザの腕の接近を検出してリストバンド１００がユーザに装着されたと検知できる。
【００５９】
一次検知でリストバンド１００が装着されたことが検知された場合、処理はステップＳ２２からステップＳ２３に進む（ステップＳ２２のＹｅｓ）。
【００６０】
次にステップＳ２３で生体センサ１１３により生体信号が取得されたか否かが判定される。生体信号が取得された場合には処理はステップＳ２３からステップＳ２４に進み、装着状態と判定する。一方、生体信号が取得されない場合には処理はステップＳ２３からステップＳ２５に進み、非装着状態と判定する。この判定に用いる生体信号はユーザが生体情報を生体センサ１１３に読み取らせることを意識することなく、ユーザがリストバンド１００の装着状態で何もすることなく取得できるものが望ましい。そのような生体信号としては例えば、体温、血圧、脈波などがある。
【００６１】
このステップＳ２３における生体信号取得による装着の判定は、生体信号が取得されれば、その生体信号でユーザ認証処理を行うことなくリストバンド１００の装着状態と判定する。この一次検知により、例えばマネキンなどの非生物の物体にリストバンド１００が装着された場合には非装着状態と判定される。これにより、リストバンド１００が人以外の物体に装着されて使用されるのを防ぐことができる。
【００６２】
なお、装着判定処理においては一次検知と生体信号の有無による判断の２段階は必須の構成ではない。ただし、上述のように２段階で行うことにより、一次検知でリストバンド１００が装着されたことを検知するまでは生体センサ１１３をオフ状態（非動作状態）にしておき、リストバンド１００が装着されたら生体センサ１１３をオン（動作状態）する、という構成が可能となる。これにより、一次検知でリストバンド１００が装着されたことを検知した場合にのみ生体センサ１１３をオンにすれば、生体センサ１１３を常時動作状態にしておく必要がなく、リストバンド１００の消費電力の削減を図ることができる。
【００６３】
［１−４．取り外しにおける処理］
次に図７のフローチャートを参照してリストバンド１００の取り外しにおける処理について説明する。まず、ユーザから入力部１０７に取り外しモードに遷移する指示の入力があるとステップＳ３１で情報処理装置２００はリストバンド１００を取り外しモードに遷移させる。
【００６４】
ユーザからの取り外しモードに遷移する指示は種々の方法で入力できる。例えば、リストバンド１００の表示部１０８にメニュー画面を表示させ、取り外しモードに遷移する項目をボタン（入力部１０７）への入力で選択する。また、リストバンド１００を音声入力モードにする音声入力用ボタン（入力部１０７）に入力を行っている状態（押下、接触など）でユーザが「取り外し」と発声するとそのユーザの声をマイクロホン１１７で集音し、音声認識により取り外しモードに遷移する。
【００６５】
次にステップＳ３２でユーザ認証処理が行われる。ユーザ認証処理は、認証用センサ１１４からのセンサ情報を用いて生体認証部２０４により行われる。例えば認証用センサ１１４が指紋センサである場合、ユーザが指を認証用センサ１１４に接触させることによりユーザ認証処理が行われる。このユーザ認証処理はリストバンド１００を取り外そうとするのがリストバンド１００を使用しているユーザ本人であるか否かを確認するためのものである。この取り外し時における認証は特許請求の範囲における第２の認証処理である。
【００６６】
ユーザ認証処理が成功した場合、処理はステップＳ３３からステップＳ３４に進む（ステップＳ３３のＹｅｓ）。次にステップＳ３４で、リストバンド１００の装着ロック部１１５による装着ロック状態が解除される。
【００６７】
次にステップＳ３５でリストバンド１００の各種機能をオフ状態（非アクティブ状態）にする。オフ状態とは、例えば、装着検知機能と測位通知機能以外の機能をオフにした省電力モードである。また、装着検知機能と測位通知機能も含めて全ての機能をオフにしてもよい。これにより、リストバンド１００は外部との通信を切断し、さらに一切の操作を受け付けなくなり、他者に悪用されるのを防ぐことができる。
【００６８】
次にステップＳ３６で、装着／取り外しセンサ１１２からのセンサ情報を用いて装着／取り外し検知部２０３によりリストバンド１００がユーザの腕から取り外されたことが検知する。リストバンド１００がユーザの腕から取り外されたと検知した場合、処理はステップＳ３６からステップＳ３７に進む（ステップＳ３６のＹｅｓ）。
【００６９】
次にステップＳ３７で、表示部１０８にリストバンド１００が正常に取り外されて、スリープ状態に移行することを示すユーザインターフェース表示を行う。
【００７０】
そしてステップＳ３８で、全体制御部２０１はリストバンド１００をスリープ状態に移行させる。
【００７１】
以上のようにしてリストバンド１００の取り外し処理が行われる。なお、ステップＳ３１乃至ステップＳ３３の取り外しモードへ遷移とユーザ認証処理は、例えば、取り外しモードへの遷移を指示する入力を行うためのボタン（入力部１０７）に指紋認証機能を設けることにより、まとめて行うことができる。取り外しモードへの遷移を指示する入力を行った指の指紋を用いてユーザを認証することにより、より早い取り外し処理を実現することができる。
【００７２】
なお、ユーザ認証は、指紋認証以外の生体認証でも行うことができる。例えば、声紋を用いてもユーザ認証を行うことができる。予め登録したキーワードの発声データから抽出した声紋の特徴データを認証情報保持部２０５に保存しておき、その声紋の特徴とマイクロホン１１７から入力された音声とを比較することによりユーザ認証を行うことができる。
【００７３】
なお、ユーザ認証処理が声紋認証である場合、ステップＳ３１における取り外しモードへの遷移を指示する音声を用いて声紋認証を行ってもよい。これによって、よりスムーズにユーザ認証処理を行うことができる。
【００７４】
また、顔画像を用いてもユーザ認証を行うことができる。ユーザがリストバンド１００を装着した際にカメラ１１６で顔を撮影し、顔画像データと顔画像データから抽出した特徴点情報を認証情報保持部２０５に保存する。そして、ユーザ認証時にユーザにカメラ１１６に顔を向けるように指示し、得られた顔画像と顔の特徴点情報とを比較することによりユーザ認証を行うことができる。
【００７５】
さらに、眼球の前面、瞳にある膜である虹彩を用いてもユーザ認証を行うことができる。ユーザがリストバンド１００を装着した際に赤外線ＬＥＤと赤外線カメラによりユーザの瞳を撮影し、瞳画像データと瞳画像データから抽出した虹彩特徴点情報を認証情報保持部２０５に保存する。そして、ユーザ認証時にユーザにカメラ１１６に顔を向けるように指示し、得られた顔画像と虹彩特徴点情報とを比較することによりユーザ認証を行うことができる。なお、虹彩認証ではリストバンド１００に赤外線ＬＥＤを設ける必要がある。
【００７６】
なお、生体認証以外の方法でユーザ認証を行うことも可能である。例えば、動き／姿勢センサ１０９で検出可能な動きのデータを予め認証情報保持部２０５に保存しておき、ユーザ認証時にユーザにその動きをするように指示する。そして、ユーザの動きを動き／姿勢センサ１０９で検出し、認証情報保持部２０５に保存してある動きデータと比較することにより、ユーザ認証を行うことができる。
【００７７】
また、リストバンド１００に回転操作可能なダイヤルを設け、ダイヤルを予め登録した角度、位置などまで回すことでユーザ認証を行うことができる。
【００７８】
さらに、予め登録した文字列の入力をユーザに要求し、入力された文字列と登録された文字列とを比較することによりユーザ認証を行うことができる。
【００７９】
［１−５．認証スキップ］
上述したリストバンド１００の取り外しにおける処理の場合、リストバンド１００を取り外す際に常に認証処理が必要となる。これはユーザに煩わしさを感じさせるおそれがある。そこで、全体制御部２０１は所定の条件を満たす場合に下記のように認証処理をスキップ、または認証の度合いを下げるようにしてもよい。
【００８０】
第１の例として、リストバンド１００を装着しているユーザが所定の場所（自宅、学校など）にいる場合にはリストバンド１００を取り外す際の認証をスキップすることができる。これは、自宅、学校などの所定の場所は安全な場所であるため、そこにユーザがいる場合には認識スキップしても安全性を確保できるからである。なお、所定の場所はその位置情報を予め情報処理装置２００に登録しておいてもよいし、測位センサ１１１で取得した位置情報からユーザ情報認識部２０７における機械学習により、習慣性によるＰＯＩ認識で決定してもよい。これは、ほぼ毎日ユーザが長時間滞在している場所である自宅や学校などは安全だと考えられるからである。なお、ユーザが自宅、学校などの所定の場所にいるかは測位センサ１１１で取得する位置情報から判断することができる。
【００８１】
なお、ユーザが所定の場所に入った時点で取り外しの際の認証をスキップできるようにしてもよいし、所定の場所に所定時間滞在した場合に取り外しの際の認証をスキップできるようにしてもよい。これは、悪意ある第三者（以下、悪意者と称する。）がユーザを所定の場所に連れて行ってリストバンド１００を外す、などの行為を防ぐためのものである。ユーザが所定の場所に所定時間滞在したかは、ユーザが所定の場所に入ったことを位置情報で確認した時点から計時することにより確認することができる。
【００８２】
第２の例として、リストバンド１００を装着しているユーザが自宅など所定の場所に滞在しており、かつ、生体センサ１１３で生体情報としての脈波を取得し、その脈波が予め定めた正常値の範囲にある場合に認証をスキップすることができる。所定の場所は第１の例と同様のものであり、そのような安全な所定の場所にユーザが滞在しており、脈波が正常値である場合とはユーザが不安や恐怖を感じていることがない、と考えられるからである。なお、生体情報は脈波に限られず、ユーザが不安や恐怖を感じているかを確認することができればどのような情報でもよい。
【００８３】
第３の例として、リストバンド１００を装着しているユーザ自身が所有している他の機器（例えば、自宅においてあるパーソナルコンピュータ、スマートスピーカ、コミュニケーションロボットなど）であり、かつ、予め登録してある機器から所定範囲内の距離にユーザがいる場合にはリストバンド１００を取り外す際の認証をスキップすることができる。
【００８４】
これは、ユーザ自身が所有している機器の近くにいる場合には、ユーザは安全な位置にいるといえるからである。ユーザが所有している他の機器から所定範囲内の位置にユーザがいるか否かはリストバンド１００と他の機器間の無線通信技術による検出、環境音の相関による近接検出などにより行うことができる。なお、その他の機器はユーザの自宅、学校などユーザが習慣的に長時間滞在している場所にあるものであることが望ましい。
【００８５】
第４の例として、ユーザが所定の人物（家族など）の近くにいる場合にはリストバンド１００を取り外す際の認証をスキップすることができる。ユーザが家族などの所定の人物の近くにいるか否かは、リストバンド１００と、予め登録した家族が所有している機器（家族が装着しているリストバンド、家族が所有しているパーソナルコンピュータなど）間の無線通信技術による検出、環境音の相関による近接検出などにより行うことができる。また、家族が所有している機器を用いずに、家族などの所定の人物の声をマイクロホン１１７で集音し、声紋照合で近くにいるかを判断してもよい。なお、この例は家族に限らず、学校の先生などユーザの安全が確認できる人物であればどのような人物でもよい。この所定の人物を特定するための情報（所定の人物が所有している機器の識別情報など）は、予め周辺／対応情報保持部２０９などに格納して登録しておく必要がある。
【００８６】
第５の例として、所定の位置から別の所定の位置へ移動した際にリストバンド１００を取り外す際の認証をスキップすることができる。これは例えば、学校から自宅に移動した場合、会社から自宅に移動した場合、などであり、習慣的に利用している安全な経路を通過したということはユーザの安全が確認できるからである。これは位置情報を用いてユーザ情報認識部２０７の機械学習で習慣性のある経路を認識することにより行うことができる。
【００８７】
第６の例として、ユーザの歩容（体の動作・身体構造・筋肉活動などを分析して得られる歩行の状態）によりリストバンド１００が正規のユーザに装着されていると確認した状態で、ユーザが自宅などの所定の位置に到着した場合にリストバンド１００を取り外す際の認証をスキップすることができる。歩容から正規のユーザが装着していることが確認でき、自宅に帰宅した場合にはユーザが安全であることが確認できているといえるからである。ユーザが自宅に帰宅したかは位置情報から確認することができる。ユーザの歩容情報は、ユーザ情報認識部２０７の機械学習により生成し、ユーザ情報認識部２０７内の機械学習部に格納して登録しておく必要がある。
【００８８】
第７の例として、ユーザが自宅など所定の位置に滞在している状態で、予め設定してあるジェスチャ動作を行った場合にはリストバンド１００を取り外す際の認証をスキップすることができる。これはジェスチャ動作により生体認証を代替したものである。ユーザのジェスチャ動作が予め定められたジェスチャ動作であるかは動きセンサの検出結果により確認することができる。ジェスチャ動作は、予めユーザ情報認識部２０７内の機械学習部に格納して登録しておく必要がある。
【００８９】
［１−６．異常取り外しの判定］
上述したリストバンド１００の取り外し処理において、正常な取り外し処理が行われずにリストバンド１００が取り外された場合、または、取り外そうとされた場合、それは異常な取り外しが起きた、または起ころうとしているといえる。リストバンド１００の取り外しが異常な取り外しであるか否かの判定は、センサ情報を用いて以下の方法により行うことができる。
【００９０】
第１の方法は、認証用センサ１１４からのセンサ情報を用いてユーザ認証が成功していない状態で装着／取り外しセンサ１１２によりリストバンド１００が取り外されたことを検知した場合に異常な取り外しであると判定する。図８Ａの例では、リストバンド１００の取り外しにおいて動作する箇所に磁気を発生する磁性体１４０を設け、装着／取り外しセンサ１１２としての磁気センサでその磁性体１４０からの磁気を検出する。生体認証が成功していない状態で磁性体１４０からの磁気を検出できなくなった場合に異常な取り外しであると判定する。
【００９１】
第２の方法は、図８Ｂに示すように、リストバンド１００がバックル部１５０を備える場合において、静電容量センサなどにより、バックル部１５０において正常な取り外しでは作用しない方向に力が作用していることを検知した場合に異常な取り外しであると判定する。この方法では磁気センサなどを用いてもよい。
【００９２】
第３の方法は、図８Ｃに示すように、動き／姿勢センサ１０９によりリストバンド１００の動きを検出し、予め登録した動きパターンにはない動きを検出した場合、機械学習により動き／姿勢センサ１０９の検出結果から移動動作（異常振動）を検出した場合に異常な取り外しであると判定する。例えば、悪意ある第３者がリストバンド１００を破壊して取り外そうと鈍器などで殴打した場合に、その殴打の振動を検出し、異常な取り外しであると判定することができる。
【００９３】
第４の方法は、図８Ｄに示すように、リストバンド１００のバンド部１２０が切断されたことを検知した場合に異常な取り外しであると判定する。例えば、バンド部１２０を一周するようにバンド部１２０の内部に導通する導体１６０を設け、導通が途切れた場合に導体１６０が切断された、すなわちバンド部１２０が切断されたと判断することができる。
【００９４】
［１−７．異常取り外しがあった場合の処理］
次に、リストバンド１００の取り外しが上述したような異常な取り外しであると判定された場合の処理について説明する。異常な取り外しによりリストバンド１００が取り外された場合、または、取り外そうとされた場合、それはユーザが危険な状態である、または危険な状態である可能性が高い。よって、異常な取り外しを検知した場合には情報処理装置２００はその検知結果を他の装置である端末装置に送信する。以下、検知結果の送信ともに行われる処理について説明する。
【００９５】
なお、以下の説明においては、リストバンド１００と対応付けて登録してある端末装置３００が存在する、ユーザは、その端末装置３００を特定するための情報（装置識別情報など）を周辺／対応情報保持部２０９に予め保存して、リストバンド１００と対応付ける処理を行っておく必要がある。
【００９６】
端末装置３００は、図９のブロック図に示すように少なくとも、ＭＰＵ３０１、ＲＯＭ３０２、ＲＡＭ３０３、記憶部３０４、通信部３０５、出力部３０６を備えるものとして構成されている。ＭＰＵ３０１、ＲＡＭ３０２、ＲＯＭ３０３、記憶部３０４、通信部３０５は装着装置としてのリストバンド１００において説明したものと同様のものである。出力部３０６は音声を出力するスピーカ、画像および映像を表示するディスプレイなどの表示デバイス、画像および映像を投影するプロジェクタなど、情報を出力するものであればどのようなものでもよく、それは端末装置３００が具体的にどのような装置であるかによって決定されるものである。端末装置３００としては、リストバンドなどのウェアラブルデバイス、スマートフォン、タブレット端末、パーソナルコンピュータ、スマートスピーカ、プロジェクタ、コミュニケーションロボットなどがある。
【００９７】
端末装置３００が実行する制御方法はプログラムで構成され、そのプログラムは、予めＭＰＵ３０１などのプロセッサ内にインストールされていてもよいし、ダウンロード、記憶媒体などで配布されて、ユーザが自ら端末装置３００にインストールするようにしてもよい。また、端末装置３００が実行する制御方法は、プログラムによって実現されるのみでなく、その機能を有するハードウェアによる専用の装置、回路などを組み合わせて実現されてもよい。
【００９８】
第１の方法は、異常な取り外しを検知した場合にその検知結果を端末装置に送信するとともに、図１０に示すように、スピーカ１１８からブザー音を鳴らすなどのアラートにより周囲に知らせる。このアラートは特許請求の範囲における警告実行処理である。これにより、リストバンド１００が異常に取り外され、ユーザが危険な状態にあることを周囲に知らせることができると共に、悪意者を威嚇することができる。アラートは、ブザー音を鳴らすこと以外にも、フラッシュを点滅させるなどの方法でもよい。なお、アラートを停止させるには生体認証によるユーザ認証を必要とするとよい。これにより悪意者がアラートを停止してしまうことを防ぐことができる。
【００９９】
第２の方法は、図１１に示すように、予めユーザのリストバンド１００と対応付けて登録してある端末装置３００に異常取り外しがなされたという検知結果を通知する。図１１においては、端末装置３００としてリストバンド３００Ａ、スマートフォン３００Ｂを示している。このリストバンド３００Ａ、スマートフォン３００Ｂは例えばユーザの家族が所有している端末装置である。
【０１００】
通知方法は、メール、各種ＳＮＳにおけるメッセージ、専用アプリケーション上の通知など、どのような方法でもよい。さらに図１２に示すように、この通知の際にリストバンド１００の位置情報も同時に送信してもよい。位置情報を受信したリストバンド３００Ａでは位置情報が住所を示す文字列として表示され、スマートフォン３００Ｂでは住所を示す文字列に加え、地図として位置情報を表示することもできる。これにより異常取り外しが起こっているリストバンド１００の位置も正確に知らせることができる。
【０１０１】
また、図１３に示すように、予めユーザのリストバンド１００と対応付けて登録してある端末装置３００が大型のディスプレイを備える腕時計型装置３００Ｃである場合、腕時計型装置３００Ｃはメッセージ表示と地図形式による位置情報表示の両方を行ってもよい。さらに、予めユーザのリストバンド１００と対応付けて登録してある端末装置３００がプロジェクタ機能付きスマートスピーカ３００Ｄである場合、音声でメッセージを出力し、さらにプロジェクタ表示で地図形式による位置情報表示を行うとよい。
【０１０２】
第３の方法は、図１４に示すように、予め登録してある電話番号に電話を発信する。これにより、その登録してある電話番号に対応したスマートフォン３００Ｂで音声メッセージが出力され、ユーザが話をすることができなくても音声によりユーザの周囲の状況を伝えることができる。電話番号は予め記憶部１０４に保存して登録しておく必要がある。
【０１０３】
なお、電話発信の際、リストバンド１００の位置情報を自動音声により伝えるようにしてもよい。これにより、ユーザが話すことができない状態であってもユーザの位置を電話の相手に伝えることができる。
【０１０４】
この電話発信はリストバンド１００から直接行ってもよいし、異常取り外しがあった旨をサーバなどの外部装置に通知し、その外部装置が予め登録してある電話番号に電話を発信してもよい。このようにサーバなどの外部装置を用いる方法によれば、異常取り外しの後にリストバンド１００が破壊などされても電話発信を継続することができる。
【０１０５】
第４の方法は、図１５に示すように、カメラ１１６により撮影したリストバンド１００の周囲の画像および／または映像を予めユーザのリストバンド１００と対応付けて登録してあるスマートフォン３００Ｂにファイル単位で送信する。これにより、リストバンド１００の周囲の状況を伝えることができる。
【０１０６】
画像の場合、異常取り外しを検知してからの所定時間を所定の時間間隔で撮影した複数の画像を送信するのが望ましい。また、映像の場合、異常取り外しを検知してからの所定時間を撮影した映像を送信するのが望ましい。画像、映像の送信に合わせて、マイクロホン１１７で取得した音声を送信してもよい。なお、画像および／または映像は一度リストバンド１００の記憶部１０４に保存してから送信してもよいし、図１６に示すようにリアルタイムで送信（ストリーミング）してもよいし、外部のサーバに送信してそのサーバから登録してある機器に送信するようにしてもよい。
【０１０７】
第５の方法は、図１７に示すように、リストバンド１００の測位センサ１１１により位置情報を定期的に取得して、予め登録してある端末装置３００としてのスマートフォン３００Ｂに送信する。そして、スマートフォン３００Ｂではその定期的に受信する位置情報を地図表示上において受信時刻とともに表示する。これにより、リストバンド１００を装着しているユーザが連れ去られたりしても、その現在位置および移動経路を確認することができる。
【０１０８】
第６の方法は、図１８に示すように、リストバンド１００の異常取り外しがユーザの自宅などの所定の場所で検知された場合、予めリストバンド１００に対応付けて登録してあるカメラ機能を備える第１の端末装置（例えば、ホームカメラ３００Ｅ）でその所定の場所の様子を撮影する。そして、ホームカメラ３００Ｅは、撮影した画像および／または映像を予めリストバンド１００に対応付けて登録してある第２の端末装置（例えば、スマートフォン３００Ｂ）に送信する。これにより、リストバンド１００がカメラ機能を備えていなくても、ユーザの状況を確認することができる。
【０１０９】
なお、上述した方法は、それぞれ独立して実行するだけでなく、組み合わせて実行してもよい。また、端末装置３００は、情報処理装置２００からリストバンド１００における異常な取り外しを検知した旨の通知を受けた場合に、リストバンド１００に関する情報の送信を情報処理装置２００に要求するようにしてもよい。情報処理装置２００は端末装置３００からの要求を受けてからリストバンド１００に関する情報を端末装置３００に送信する。ただし、端末装置３００からの要求の有無にかかわらず、情報処理装置２００は異常取り外しを検知したら自動的にリストバンド１００に関する情報を端末装置３００に送信してもよい。リストバンド１００に関する情報とは、上述の第１乃至第６の方法で説明した、リストバンド１００の位置情報、リストバンド１００の周囲を撮影した画像像、映像などである。
【０１１０】
以上のようにして本技術が構成されている。本技術によれば、装着装置としてのリストバンド１００を装着するユーザの状況を家族などの特定の人物が把握して、その安全を確認することができる。例えば、リストバンド１００を子供に装着させることにより、家族はその子供の登下校時の安全確認を行うことができ、迷子防止も実現することができる。
【０１１１】
また、悪意者が装着装置であるリストバンド１００を装着しているユーザに危害を加えたり、リストバンド１００を取り外して悪用したりすることを防止できる。また、ユーザが危険な状態になる、または危険な状態になろうとしている場合には特定の人物、例えばユーザの家族などにそのことを知らせることができる。
【０１１２】
＜２．変形例＞
以上、本技術の実施の形態について具体的に説明したが、本技術は上述の実施の形態に限定されるものではなく、本技術の技術的思想に基づく各種の変形が可能である。
【０１１３】
装着装置は図２に示したリストバンド１００のようなバングル型の外観形状のものに限られず、図１９Ａに示すような時計型ウェアラブルデバイス６０００でもよい。また、図１９Ｂに示すようなベルト部７００１に処理を行うコア７００２を嵌め込むいわゆるコア型デバイス７０００でもよい。
【０１１４】
装着装置は腕に嵌める輪状のものに限られず、体に貼るもの、頭に被るものなどユーザの身体に装着するものであればどのような形状、構成でもよい。
【０１１５】
また、リストバンド１００取り外しの際のユーザ認証においては、ユーザ以外の人間であり、予め登録した特定の人物（家族など）による生体認証で取り外しを可能としてもよい。
【０１１６】
また、上述の異常取り外し検知において、ユーザ自身または予め登録した特定の人物（家族など）以外の人間の生体認証により取り外しが行われようとした場合にも異常取り外し検出としてもよい。
【０１１７】
また、一度異常取り外しが検知された場合、ユーザの家族などの所定の人物がユーザの近くにいる状態でなければユーザ自身であってもリストバンド１００を外せないようにユーザ認証機能をロックしてもよい。これにより、例えば、ユーザ認証が指紋認証である場合で、悪意者が無理矢理ユーザの指を認証用センサ１１４に接触させてユーザ認証を成功させることを防ぐことができる。
【０１１８】
さらに、本技術は人以外の例えばペットしての動物用として用いることも可能である。例えば、装着装置としての犬、猫などのペット用の首輪に本技術の情報処理装置２００を適用すれば、実施の形態におけるユーザと同様にペットの安全を確保することができる。なお、本技術の情報処理装置２００を適用したペット用装着装置としての首輪においては、ペット自身が自らの意思でユーザ認証を行うことはないため、飼い主の生体情報で認証処理を行うようにするとよい。
【０１１９】
実施の形態では、リストバンド１００から端末装置３００に直接通知などを行うように説明を行ったが、サーバを用いてリストバンド１００から端末装置３００への通知などを行ってもよい。
【０１２０】
リストバンド１００の利用にサーバ４００を用いる場合の処理の流れを説明する。図２０はリストバンド１００の装着から通常待機状態（使用状態）における処理のシーケンス図である。まずユーザがリストバンド１００を装着するとリストバンド１００で装着検知がなされる。装着検知がなされるとリストバンド１００の表示部１０８において認証待機を示す表示がなされる。
【０１２１】
ユーザが認証動作（例えば、認証用センサ１１４が指紋センサである場合には指をセンサに接触させる）を行うとユーザ認証処理がなされ、ユーザ認証に成功するとリストバンド１００からサーバ４００に認証状態の更新情報が送信される。そして、リストバンド１００において装着状態がロックされ、使用状態となる。
【０１２２】
図２１はリストバンド１００の通常待機状態（使用状態）から正常な取り外しまでの処理のシーケンス図である。まずユーザが取り外しモードへの遷移を指示する入力をリストバンド１００に対して行うと、リストバンド１００は取り外しモードに遷移する。次にリストバンド１００の表示部１０８において認証待機を示す表示がなされる。
【０１２３】
ユーザが認証動作を行うとユーザ認証処理がなされ、ユーザ認証に成功するとリストバンド１００からサーバ４００に認証状態の更新情報が送信される。そして、リストバンド１００において装着ロック状態が解除され、表示部１０８において装着ロック解除を示す表示がなされる。次に、リストバンド機能がオフにされる。
【０１２４】
そしてユーザがリストバンド１００を取り外すとリストバンド１００で取り外し検知および取り外しパターンの認識がなされ、表示部１０８において装着ロック解除を示す表示がなされる。次に、リストバンド１００の機能がオフにされスリープ状態となり、表示部１０８にスリープ状態である旨の表示がなされる。
【０１２５】
図２２はリストバンド１００に対して異常取り外しがなされ、サーバ４００を介してユーザの家族の端末装置３００に通知する処理のシーケンス図である。端末装置３００は例えば、ＬＴＥ（Long Term Evolution）でネットワークに接続されている。
【０１２６】
悪意者がユーザからリストバンド１００を無理やり取り外そうとしてリストバンド１００において異常取り外しが検知されると、リストバンド１００において、コンテキスト認識、取り外しパターン認識、異常パターン検出、周辺の画像／映像および音声の取得がなされる。そして、リストバンド１００からサーバ４００に画像／映像データおよび音声データがアップロードされる。
【０１２７】
サーバ４００は予め登録されているリストバンド１００に対応する端末装置３００を検索する。そしてサーバ４００から端末装置３００に異常取り外しの通知がなされ、端末装置３００からサーバ４００にデータリクエストがなされるとサーバ４００は端末装置３００に対して画像／映像データおよび音声データを送信する。リストバンド１００からサーバ４００は位置情報も送信されている場合には、サーバ４００から端末装置３００に位置情報も送信してもよい。
【０１２８】
そして端末装置３００からサーバ４００にアラート発動リクエストがなされるとサーバ４００からリストバンド１００にアラート出力指示がなされ、リストバンド１００においてアラートが出力される。
【０１２９】
図２３はリストバンド１００に対して異常取り外しがなされ、サーバ４００を介してユーザの家族の複数の端末装置３１０、３２０、３３０、３４０に通知する処理のシーケンス図である
【０１３０】
リストバンド１００からサーバ４００に画像／映像データおよび音声データがアップロードされる処理までは図２２と同様である。サーバ４００が予め登録されているリストバンド１００に対応する端末装置を検索し、サーバ４００から登録されている全ての端末装置に異常取り外しの通知がなされる。
【０１３１】
そして、登録されている複数の端末装置のうちのいずれか（図２３においては端末装置３００）からサーバ４００にデータリクエストがなされるとサーバ４００は端末装置３００に対して画像／映像データおよび音声データを送信する。
【０１３２】
以上のようにしてリストバンド１００、サーバ４００、端末装置３００間の処理が行われる。なお、図２０乃至図２３のシーケンス図の処理はあくまで一例であり、本技術がその範囲に限定されるものではない。
【０１３３】
本技術は以下のような構成も取ることができる。
（１）
ユーザに装着された装着装置の異常な取り外しが検知されると、検知結果を他の装置に送信する情報処理装置。
（２）
前記ユーザが前記装着装置を装着する際に第１の認証処理を行う（１）に記載の情報処理装置。
（３）
前記ユーザが前記装着装置を取り外す際に第２の認証処理を行う（１）または（２）に記載の情報処理装置。
（４）
前記装着装置が備えるセンサにより取得したセンサ情報に基づき前記異常な取り外しを検知する（１）から（３）のいずれかに記載の情報処理装置。
（５）
前記第２の認証処理が成功せずに前記装着装置が外された場合に前記異常な取り外しとして検知する（３）に記載の情報処理装置。
（６）
前記第２の認証処理は、生体認証により行う（３）に記載の情報処理装置。
（７）
前記第２の認証処理は、前記ユーザの動きの認証により行う（３）に記載の情報処理装置。
（８）
前記異常な取り外しが検知された場合、前記装着装置における警告実行処理を行う（１）から（７）のいずれかに記載の情報処理装置。
（９）
前記装着装置を装着した前記ユーザが所定の状態である場合に、前記第２の認証処理をスキップする（３）に記載の情報処理装置。
（１０）
前記装着装置の位置情報に基づいて前記ユーザが所定の状態にあることを判断する（９）に記載の情報処理装置。
（１１）
前記ユーザの状態の習慣性に基づいて前記ユーザが所定の状態にあることを判断する（９）に記載の情報処理装置。
（１２）
ユーザに装着された装着装置の異常な取り外しが検知されると、検知結果を他の装置に送信する
情報処理方法。
（１３）
ユーザに装着された装着装置の異常な取り外しが検知されると、検知結果を他の装置に送信する
情報処理方法をコンピュータに実行させる情報処理プログラム。
（１４）
ユーザに装着された装着装置の異常な取り外しを検知した情報処理装置から前記装着装置に関する情報を受信する
端末装置。
（１５）
前記装着装置に関する情報は、前記装着装置の位置情報である（１４）に記載の端末装置。
（１６）
前記装着装置に関する情報は、前記装着装置の周囲の音声である（１４）または（１５）に記載の端末装置。
（１７）
前記装着装置に関する情報は、前記装着装置の周囲の映像および／または画像である（１４）から（１６）のいずれかに記載の端末装置。
（１８）
前記情報処理装置から、前記ユーザに装着された装着装置の異常な取り外しを示す検知結果を受信すると、前記装着装置に関する情報の送信を前記情報処理装置に要求する（１４）から（１７）のいずれかに記載の端末装置。
（１９）
ユーザに装着された装着装置の異常な取り外しを検知した情報処理装置から前記装着装置に関する情報を受信する
端末装置の制御方法。
（２０）
ユーザに装着された装着装置の異常な取り外しを検知した情報処理装置から前記装着装置に関する情報を受信する
制御方法をコンピュータに実行させる制御プログラム。
【符号の説明】
【０１３４】
１００・・・リストバンド
１０９・・・動き／姿勢センサ
１１０・・・地磁気センサ
１１１・・・測位センサ
１１３・・・生体センサ
１１４・・・認証用センサ
２００・・・情報処理装置
３００・・・端末装置
３００Ａ・・リストバンド
３００Ｂ・・スマートフォン
３００Ｃ・・腕時計型装置
３００Ｄ・・スマートスピーカ
３００Ｅ・・ホームカメラ
【図１】
2019220742.tif 000003
【図２】
2019220742.tif 000004
【図３】
2019220742.tif 000005
【図４】
2019220742.tif 000006
【図５】
2019220742.tif 000007
【図６】
2019220742.tif 000008
【図７】
2019220742.tif 000009
【図８】
2019220742.tif 000010
【図９】
2019220742.tif 000011
【図１０】
2019220742.tif 000012
【図１１】
2019220742.tif 000013
【図１２】
2019220742.tif 000014
【図１３】
2019220742.tif 000015
【図１４】
2019220742.tif 000016
【図１５】
2019220742.tif 000017
【図１６】
2019220742.tif 000018
【図１７】
2019220742.tif 000019
【図１８】
2019220742.tif 000020
【図１９】
2019220742.tif 000021
【図２０】
2019220742.tif 000022
【図２１】
2019220742.tif 000023
【図２２】
2019220742.tif 000024
【図２３】
2019220742.tif 000025
【国際調査報告】
2019220742.tif 000026
2019220742.tif 000027
2019220742.tif 000028
2019220742.tif 000029